(57)【要約】      （修正有）【課題】ハードディスク記憶装置等の記憶装置を多数接続する接続装置において、安価で着脱が容易な接続装置を提供する。【解決手段】通信ケーブル４３ｂの先端に設けられている接続端子４１ｂを、１対の保持部材によって挟み込み、接続端子４１ｂ部分を突出させた状態で、ハードデイスク記録装置ＴＨの収容部Ｇ１１に装着する。保持部材よりなる固定部材３によって保持された接続端子４１ｂを収容部Ｇ１１内に突出させ、ハードデイスク記録装置ＴＨとの接続端子として用いる。【選択図】図５
2012079384.tif 000002
【特許請求の範囲】
【請求項１】
通信ケーブルの端部に設けられた接続端子と、
該記憶装置本体に設けられた接続端子の方向に、記憶装置本体を挿入させることにより、接続端子が設けられた端部を収容し、他の部分を露出した状態とする複数の収容部と、
前記収容部に設けられ、前記記憶装置本体の側面に接触して、前記記憶装置の挿脱を案内する案内部材と、
前記通信ケーブルの接続端子を両側から挟み込み、該接続端子の端子部を外側に突出させた状態で保持する一対の保持部材からなる固定部材とを備え、
前記固定部材は、前記収容部において、収容されている前記記憶装置の接続端子に対向する面に配置され、該接続端子に対向する位置に前記突出した端子部を臨ませていることを特徴とする接続装置。
【請求項２】
前記記憶装置に対して、物理コピーを行う複写装置の接続装置である請求項１に記載の接続装置
【請求項３】
前記収容部は、縦横に複数配列されている請求項１又は２に記載の接続装置。
【請求項４】
前記収容部に対する記録装置の挿入方向は、下向きかつ鉛直方向に対して傾斜している請求項１〜３のいずれか１に記載の接続装置。
【発明の詳細な説明】
【技術分野】
【０００１】
この発明は、ハードディスク記憶装置等に接続されデータを記録し、又は読み取る装置に取り付けられる接続装置に係り、詳しくは、多数の接続端子を備える接続装置に関するものである。
【背景技術】
【０００２】
従来、パーソナルコンピュータ等に搭載される記憶装置としては、容量の大きくアクセス時間が比較的短いハードディスク記憶装置がある。このハードディスク記憶装置は、例えば、パーソナルコンピュータのオペレーションシステム等のソフトウエアーを記憶する記憶装置として、或いはビデオレコーダーの記憶装置として用いられており、他の記憶装置に比較して大量のデータを短時間で記憶できるといった特質を備えている。このようなハードディスク装置は、パーソナルコンピュータに装填される場合、出荷する前に、出荷される多数のパーソナルコンピュータのハードディスク記憶装置に、既述のシステムソフトを書き込む作業が行なわれる。
【０００３】
従来、このようなハードディスク記憶装置へのデータの書込みには、パーソナルコンピュータの使用に必要なシステムソフトを書き込んだハードディスク記憶装置（マスターＨＤＤ）を作成し、このマスターＨＤＤから、実際にパーソナルコンピュータへ装填される複数のハードディスク記憶装置（ターゲットＨＤＤ）へデータを物理的にコピーすることにより行われる。具体的には、マスターＨＤＤのから所定の読み取り開始位置からセクタ単位で所定量のデータを読み取り、これをターゲットＨＤＤへ転送し、ターゲットＨＤＤの対応するアドレスから順に書き込むといった動作が繰り返される。
【０００４】
このようなハードディスク記憶装置のデータをコピーする装置として、例えば下記先行特許文献に記載されているような装置がある。
【先行技術文献】
【特許文献】
【０００５】
【特許文献１】特開２００８−１０８４１０公報
【特許文献２】特開２００５−９２３７３公報
【特許文献３】特開２００７−４８４１５公報
【発明の概要】
【発明が解決しようとする課題】
【０００６】
このようなハードディスク装置は、データを転送するためのケーブルを接続する端子を備えており、複数のハードディスク記憶装置の各端子に、コピー装置の接続端子を接続する必要がある。
【０００７】
このような端子は、コピー先のハードディスク記憶装置の数と同じ数が必要であり、同時にコピーできるコピー先ハードディスク記憶装置の数が増えれば、それに応じて端子の数も増やす必要があり、数が増えるほど、接続端子へのハードディスク記憶装置の着脱作業に時間が採られるといった問題があった。さらに、コピー先ハードディスク記憶装置の台数が増加する程、コピー装置のイニシャルコストも高価となるといった問題もあった。
【０００８】
さらに、このようなコピー装置においては、多数のハードディスク記憶装置に、短時間でデータをコピーする必要があるため、コピーが終了したハードディスク記憶装置から未コピーのハードディスク記憶装置に交換する作業も、短時間で行う必要がある。このため、接続端子の接続は、確実にデータを転送できる構造であることに加えて、作業時間の短縮を図るために、容易に着脱できる構成であることが要請される。
【０００９】
この発明は、ハードディスク記憶装置等の記憶装置を多数接続する接続装置において、安価で着脱が容易な接続装置を提供することを目的とするものである。
【課題を解決するための手段】
【００１０】
以上のような問題を解決する本発明は、以下のような構成を有する。
【００１１】
（１）通信ケーブルの端部に設けられた接続端子と、
該記憶装置本体に設けられた接続端子の方向に、記憶装置本体を挿入させることにより、接続端子が設けられた端部を収容し、他の部分を露出した状態とする複数の収容部と、
前記収容部に設けられ、前記記憶装置本体の側面に接触して、前記記憶装置の挿脱を案内する案内部材と、
前記通信ケーブルの接続端子を両側から挟み込み、該接続端子の端子部を外側に突出させた状態で保持する一対の保持部材からなる固定部材とを備え、
前記固定部材は、前記収容部において、収容されている前記記憶装置の接続端子に対向する面に配置され、該接続端子に対向する位置に前記突出した端子部を臨ませていることを特徴とする接続装置。
【００１２】
（２）前記記憶装置に対して、物理コピーを行う複写装置の接続装置である上記（１）に記載の接続装置
（３）前記収容部は、縦横に複数配列されている上記（１）又は（２）に記載の接続装置。
【００１３】
（４）前記収容部に対する記録装置の挿入方向は、下向きかつ鉛直方向に対して傾斜している上記（１）〜（３）のいずれか１に記載の接続装置。
【発明の効果】
【００１４】
請求項１に記載の発明によれば、通信ケーブルの端部に設けられている接続端子をそのまま装置の接続端子として利用するので、端子部分のイニシャルコストを低減することができる。特に、接続端子部の接続のみによって接続装置と記録装置とが連結されており、他の連結構造や固定構造が存在しないので、容易に記録装置の着脱が可能で、記録装置の交換の際の作業時間を短縮することができる。
【００１５】
請求項２に記載の発明によれば、物理コピーにより複写を行う複写装置に用いることにより、多数の記録装置にデータをコピーする作業に使用され、コピー済みの記録装置から未コピーの記録装置に交換する作業を効率よく行うことができる。
【００１６】
請求項３に記載の発明によれば、収容部を縦横に複数配列することによって、特定の領域に効率良く記録装置を配置することができる。また、記録装置の収容部への装填作業も容易となる。
【００１７】
請求項４に記載の発明によれば、収容部が情報に向けて傾斜しているので（即ち、記録装置は下方へ向けて挿入される）、記録装置の接続端子と接続装置の接続端子との接続に対して、記録装置の自重によって、接続方向に圧力が加わる構成となり、通信状態で接続部分が外れるといったトラブルが抑制される。さらに、鉛直方向に挿入するものではないので、接続作業時において、記録装置の自重による落下の衝撃で、接続端子同時が衝突し、破損するといったトラブルも抑制される。また、収容部に記録装置が収容されている状態において、記録装置の後部が斜め上方に突出した状態となるので、取り外しが容易となり、記録装置交換作業の時間短縮を図ることができる。
【図面の簡単な説明】
【００１８】
【図１】本発明の接続装置が搭載された複写装置の回路構成を示すブロック図である。
【図２】筐体の正面図である。
【図３】基台に載せられた筐体の側面図である。
【図４】各装填口に収容部連結体が装填された状態を示す、装填部の全体正面図である。
【図５】収容部連結体の平面断面図である。
【図６】固定部材の分解正面図である。
【図７】片方の保持部材の平面図である。
【発明を実施するための形態】
【００１９】
以下、本発明の好適実施形態について、詳細に説明する。図１は、本発明の接続装置が搭載された複写装置の回路構成を示すブロック図である。コピー装置１０は、複写元ハードディスク記憶装置ＭＨから読み取ったデータを複数の複写先ハードディスク記憶装置ＴＨ１〜ＴＨｎに書き込み、複写元ハードディスク記憶装置ＭＨから複写先ハードディスク記憶装置ＴＨ１〜ＴＨｎにミラーコピーする装置である。この実施形態では、複写先ハードディスク記憶装置ＴＨは、２３個ある（ｎ＝２３）。
【００２０】
複写装置１０は、中央演算処理装置ＣＰＵ０と、複写元ハードディスク記憶装置ＭＨから読み取ったデータを一時格納するメモリ１２と、複写元ハードディスク記憶装置ＭＨに接続される接続端子１１０と、複写先ハードディスク記憶装置ＴＭ１〜ＴＭｎに接続される接続端子１１１、１１２、１１３、〜１１ｎを備えている。各接続端子１１１、１１２、１１３、〜１１ｎには、これに接続される複写先ハードディスク記憶装置ＴＭ１〜ＴＭｎへのデータの転送を中継するための制御回路ＣＰＵ１〜ｎがそれぞれ接続されている。
【００２１】
ＣＰＵ０と、メモリ１２と、ＣＰＵ１〜ｎとは、バスライン１３で接続されている。
【００２２】
ＣＰＵ０〜ｎは、コマンドをハードディスク記憶装置に出力することにより、データの読み出しと書き込みを行う。
【００２３】
複写装置１０の作用を説明する。ＣＰＵ０は、リードコマンドを複写元ハードディスク記憶装置ＭＨに出力する。例えば、ＬＢＡ（読み出すアドレス）ＬＢＣ２５６（データ単位：セクタ数）なるリードコマンドとなる。読み出されたデータをメモリ１２に蓄積する。次に、メモリ１２に蓄積されたデータを複写先ハードディスク記憶装置ＴＨ１〜ｎへ順番に書き込み処理を行う。書き込みを行う位置は、複写元ハードディスク記憶装置ＭＨから読み出したアドレスに対応した、同じアドレス位置に書き込まれる。各複写先ハードディスク記録装置ＴＨに接続されるＣＰＵ１〜ｎは、ＣＰＵ０から受け取ったコマンドに基づいて、順にメモリ１２に記録されているデータを読み出し、複写先ハードディスク記録装置ＴＨにデータを記録する。ＣＰＵ０は、最後の複写先ハードディスク記録装置ＴＨｎから書き込み終了のコマンドを受け取ると、前回読み出しデータの最後のアドレスの次のアドレスから所定量のデータを読み出し、再度複写先ハードディスク記録装置ＴＨ１〜ｎに順に、そのデータを記録する。
【００２４】
複写装置１０によるデータの複写は、物理フォーマットによって、データを記録する単位であるセクタ単位で、ハードディスクの先頭から順に行われるミラーコピー方式により実行される。
【００２５】
次に、上記複写装置１０が収容されている筐体Ｋについて説明する。図２は、筐体Ｋの正面図である。筐体Ｋは、箱形状に構成され、正面側面ＫＦには装填口Ｊ１〜８が上下方向に等間隔で配置された装填部Ｋ３と、装填部Ｋ３の右側には、上記複写装置１０の本体が収容されている複写装置収納部Ｋ１が設けられている。複写装置収納部Ｋ１の下部には、表示部Ｋ２と、操作部Ｋ４が配置されている。装填口Ｊ１〜８には、収容部を３つ連結した収容部連結体Ｇ１〜８が装填される。
【００２６】
図３に示されているように、筐体Ｋは、棒材に組み上げられた基台Ｃの上に載置される。基台Ｃは、棒材によって直方体形状に組み上げられており、４隅に立てられた棒脚Ｃｈ２の下端にキャスターＣｈ１がそれぞれ取り付けられ、その上部と下部とには、隣接する棒脚の間に架設された棒材によって、直方体形状に組み付けられている。正面側の棒脚の間に架設された棒材Ｃ４と、背面側の棒脚の間に架設され、正面側の棒材Ｃ４より高い位置に設けられた棒材Ｃ５との間には、傾斜した支持材Ｃ３が架設され、この支持材Ｃ３の上に筐体Ｋの背面ＫＢが接触するように載せられる。
【００２７】
筐体Ｋは、棒材Ｃ４の上部に位置する棒材Ｃ２によって、前側から支持されることで、基台Ｃに固定される。基台Ｃに搭載された筐体Ｋは、正面ＫＦが上方に向かって斜めに傾斜した姿勢で固定され、装填口Ｊ１〜８が斜め上方に向かって開口する。その各装填口Ｊ１〜８に対して、収容部連結体Ｇ１〜８がそれぞれ装填されて固定される。
【００２８】
図４は、各装填口Ｊ１〜８に収容部連結体Ｇ１〜８が装填された状態を示す、装填部３の全体正面図である。には、それぞれ収容部連結体Ｇ１〜８が収納され、さらに、筐体Ｋの内部には複写装置１０が収納されている。各収容部連結体Ｇ１〜８は、同一の構成であるので、最上段の収容部連結体Ｇ１の構成について説明し、他の収容部連結体Ｇ２〜８の構成については、説明を省略する。
【００２９】
図５は、収容部連結体Ｇ１の平面断面図である。図４及び図５に示されているように、３の収容部Ｇ１１、Ｇ１２、Ｇ１３が、それぞれ装填口Ｊ１の長辺方向に連結されて相互に固定されている。この３つの収容部Ｇ１１、Ｇ１２、Ｇ１３は、同一の構成であるので、収容部Ｇ１１の構成について説明し、他の収容部Ｇ１２、１３の構成については、説明を省略する。
【００３０】
収容部Ｇ１１は、４つの側壁２１ａ、２１ｂ、２２ａ、２２ｂと、各側壁で構成された筒体の一端を閉塞する底片２３ａで構成されており、開口２０ａからハードディスク記録装置ＴＨ１が挿入される。４つの側壁２１ａ、２１ｂ、２２ａ、２２ｂは、挿入されたハードディスク記録装置ＴＨ１の外側面に接触して位置決めできる位置に配置されており、これらの側壁に沿ってハードディスク記録装置ＴＨ１を挿入することで、後述するハードディスク記録装置ＴＨ１の接続端子が位置決めされ、収容部側の接続端子と容易に接合できるように構成されている。
【００３１】
底片２３ａには、挿入されるハードディスク記録装置ＴＨ１の接続端子に対向する位置に孔２４ａ、２５ａが形成されている。底片２３ａの背面側には、通信ケーブル４３ａ、４３ｂの接続端子を保持する固定部材３が固定され、固定部材３から突出している通信ケーブルの接続端子４１ａ、４１ｂが、前記孔２４ａ、２５ａから、収容部Ｇ１１内に突出している。固定部材３内には、ケーブルの接続端子を保持する端子保持部４２ａ、４２ｂが収容固定されている。
【００３２】
図６は、固定部材３の分解正面図、図７は一方の保持部材３１の平面図である。固定部材３は、一対の保持部材３１、３２により、ケーブルの端子保持部４２ａ、４２ｂを間に挟んで保持することにより構成される。この実施形態では、固定部材３は、電源ケーブル４３ａ、信号ケーブル４３ｂの２つのケーブの接続端子を固定する構造を有している。保持部材３１は、保持部材３２が重ねられる収納凹部３１１が形成され、該収納凹部３１１内には、ケーブル４３ａ、４３ｂを収容する保持部３１２、３１３が形成されている。
【００３３】
保持部３１２には、電源ケーブル４３ａの端子保持部４２ａの半分が収容され、保持部３１３には信号ケーブル４３ｂの端子保持部４２ｂの半分が収容される。保持部材３２には、重ね合わせた際に各保持部３１２、３１３に対向する位置に、同様の形状の保持部３２２、３２３が形成され、保持部３２２に電源ケーブル４３ａの端子保持部４２ａの半分が収容され、保持部３２３には信号ケーブル４３ｂの端子保持部４２ｂの半分が収容される。
【００３４】
このような構成とすることにより、保持部３１２と保持部３２２とによって、電源ケーブル４３ａの端子保持部４２ａを保持する保持空間が形成され、保持部３１３と保持部３２３とによって、信号ケーブル４３ｂの端子保持部４２ｂを保持する保持空間が形成される。
【００３５】
図７に基づいて、保持部３１２、３１３の構成について説明する。なお、保持部３２２、３２３の構成については、保持部３１２、３１３と同様であるので、説明を省略する。保持部３１２は、電源ケーブル４３ａの端子保持部４２ａを収容する第１収容部３１２ｂと、これに連結され、端子保持部４２ａにつながるケーブル４３ａが収容される第２収容部３１２ｃとを備えている。第１収容部３１２ｂが、第２収容部３１２ｃよりも深く、かつ幅広に構成され、第１収容部３１２ｂの端面３１２ｅで、電源ケーブル４３ａの端子保持部４２ａの基端部を受ける構成となっている。また、第１収容部３１２ｂの端面３１２ｅに対して反対側は開口３１２ｂａが形成され、該開口３１２ｂａから、端子部４１ａが突出する構成となっている。第１収容部３１２ｂ内にはねじ孔３１２ｄが形成され、このねじ孔３１２ａにねじ込まれたねじによって、端子保持部４２ａの固定が補助される構成となっている。
【００３６】
保持部３１３は、信号ケーブル４２ｂの端子保持部４２ｂを収容する第１収容部３１３ｂと、これに連結され、端子保持部４２ｂにつながるケーブル４３ｂが収容される第２収容部３１３ｃと、端子４１ｂが収容する開口３１３ａとを備えている。第１収容部３１３ｂが、第２収容部３１３ｃや開口３１３ａよりも深く、かつ幅広に構成され、第１収容部３１３ｂの基端側端面３１３ｅで、信号ケーブル４３ｂの端子保持部４２ｂの基端部を受ける構成となっており、第１収容部３１３ｂの先端側端面３１３ｆで、端子保持部４２ｂの先端部を受ける構成となっている。また、開口３１３ａから、端子部４２ａが突出する構成となっている。
【００３７】
保持部材３１と保持部材３２には、重ね合わせた際に重なる４つのねじ挿通孔３４が、保持部３１２、３１３の両側に隣接して設けられ、ねじ挿通孔３４を挿通するねじによって締着され、確実に端子保持部４２ａ、４２ｂが固定保持されている構成となっている。各ケーブル４３ａ、４３ｂの他端は、複写装置１０の接続端子１１０〜１１ｎ等に接続される。
【００３８】
上記実施形態では、収容部Ｇ１１に複写元ハードディスク記憶装置ＭＨが収容され、他の収容部Ｇ１２〜Ｇ８３に複写先ハードディスク記憶装置ＴＨ１〜ＴＨｎが収容される。
【符号の説明】
【００３９】
１０  複写装置
ＭＨ  複写元ハードディスク記憶装置
ＴＨ１〜ｎ  複写先ハードディスク記憶装置
Ｋ  筐体
Ｇ１〜Ｇ８  収容部連結体
３  固定部材
３１、３２  保持部材
【図１】
2012079384.tif 000003
【図２】
2012079384.tif 000004
【図３】
2012079384.tif 000005
【図４】
2012079384.tif 000006
【図５】
2012079384.tif 000007
【図６】
2012079384.tif 000008
【図７】
2012079384.tif 000009